(57)【要約】      （修正有）【課題】ジグソーパズル用画像を顧客自身が自由に加工できるオリジナルジグソーパズルやプリント写真を提供する。【解決手段】ユーザーが提供した画像があって、ユーザーが専用アプリケーションソフトウエアで設定した拡張現実情報と、関連付けられた画像がジグソーパズルやプリント写真として印刷されている。【選択図】図１
0003210290.tif 000002
【実用新案登録請求の範囲】
【請求項１】
オリジナルジグソーパズル画像データを作成するための多機能フォトエディター。
【請求項２】
画像データに、顧客自身がAR機能（拡張現実）を設定することができ、アプリケーションに内蔵されているARカメラをオリジナルジグソーパズルにかざすと、メッセージや動画が再現される。
【考案の詳細な説明】
【技術分野】
【０００１】
本考案は、オリジナルジグソーパズルが簡単に注文でき、AR再生データを登録することにより、自動でAR機能も付加できる,多機能なフォトエディターである。
【背景技術】
【０００２】
今までのAR機能付ジグソーパズルは、AR再生データ登録と同時に、オリジナルジグソーパズル画像にAR機能を付加する事はできなかった。また、オリジナルジグソーパズル専用の多機能型フォトエディターは存在していない。
【考案の概要】
【考案が解決しようとする課題】
【０００３】
今までオリジナルジグソーパズルの注文を受けるときは、ジグソーパズルの縦横比率と入稿される写真の縦横比率が異なるため、入稿された画像データを、コンピューター上で手作業によりトリミングする必要がある。そのために、ジグソーパズルを製作するための前処理に時間を取られる課題がある。また、顧客自身がオリジナルジグソーパズルにAR機能（拡張現実機能）を直接付加することはできない課題がある。
【０００４】
本考案は、上記課題を解決するためになされ、オリジナルジグソーパズルを注文する顧客ならびに製造者が共に、注文顧客の情報を共有することにより、クレーム発生を防ぐ事が可能になる。また、今まで実現することができなかった顧客本人の意思により、オリジナルジグソーパズルにAR機能（拡張現実機能）を付加する事が可能になる。
【課題を解決するための手段】
【０００５】
顧客が本アプリケーションをダウンロードし、アプリケーション内でジグソーパズルの比率にあった画像加工を行うことにより、顧客より送信される画像データはジグソーパズルの比率になり、自社内での画像トリミングの作業が不要になり、上記課題を解決することになった。
【０００６】
本考案で使用するデータは、本アプリケーションで撮影したデータでも可能であり、また携帯端末内に格納されているが画像データを使用することも可能である。携帯端末内に格納されている画像データを簡単に呼び出すことができるシステムになっている。この事により、オリジナルジグソーパズルにしたい画像を、携帯端末内で処理する事を可能にした。
【０００７】
本考案は、以下の画像処理が可能である多機能フォトエディターである。以下、切り抜き・傷補正・美白・画像調整（高解像度、風景、食品、人物、夜景）・効果・テキスト（文字入れ）・抽画（色塗り）・ステッカー（ステッカーを選択して貼り付ける）・ぼかし・シャープ・フォーカス・カラー（彩度等変更)・明暗(コントラスト等変更）・赤目補正・方向（画像の向きを変える）・フレーム・スプラッシュ・周辺光量補正・オーバーレイ。今後バージョンアップを図る事により、より多機能化を目指す。
【０００８】
本考案は、顧客がオリジナルジグソーパズルにしたい画像調整が終了したら、携帯端末内でオーダーを行う。オーダーを行うことにより、オーダーに見合った注文システムを自動で呼び出し、簡単に注文が完結するシステムになっている。
【０００９】
本考案は、注文時にオリジナルジグソーパズルの画像に、注文者が別途用意されている動画や、注文者自身があらかじめ用意した動画をAR機能（拡張現実機能）として付加することができる。
【考案の効果】
【００１０】
本考案により、今まで顧客がオリジナルジグソーパズル用の画像を用意したり、また加工したりする事が簡単になる。また、用意した画像に顧客本人がAR機能を付加することができるので、顧客よりオリジナルジグソーパズルをプレゼントされた者は、オリジナルジグソーパズルを組み立て、アプリケーションに付加されているARカメラで画像をスキャニングすることにより、顧客からのメッセージや動画を楽しむことができる。
【図面の簡単な説明】
【００１１】
【図１】全体の流れを表すフローチャートである。
【図２】アプリケーションのスタート画面である。
【図３】カメラ機能を使用、または携帯端末内保存画像を呼び出した状態を示す画面である。
【図４】オリジナルジグソーパズルにするための、多機能フォトエディター初期画面である。
【図５】オリジナルジグソーパズルの仕上がり画像比率に、呼び出し画像を一致させるための切り抜き機能を利用する状態を示す画面である。
【図６】文字入れや、その他多機能を利用している状態を示す画面である。
【図７】オリジナルジグソーパズルにしたい画像の加工が終わったとあと、注文内容を確認する状態示す画面である。
【図８】オーダー受付完了画面である。注文内容、注文画像に問題がなかったらオーダーを行う状態を示す画面である。
【図９】注文時に、AR機能の追加を設定する状態を示す画面である。
【図１０】オリジナルジグソーパズルに、本アプリケーション内蔵カメラで動画が再現される一連のAR機能説明図
【考案を実施するための形態】
【００１２】
本考案を実施するためのフローチャート（図１）と、アプリケーションの実際の画面図（図２）から（図１０）までを利用して、本考案の実施形態を説明する。
【００１３】
本考案を実施するためには、本考案アプリケーションを所定の場所より、使用携帯端末にダウンロードする必要がある。図２は、本考案アプリケーションのスタート画面である。構成としては、カメラ機能・保存画像呼び出し機能・使用方法説明・商品価格説明より成り立っている。説明の項目は、必要に応じて随時増やすことが可能である。
【００１４】
まずは、図１のスタート画面においてカメラか写真のどちらかを選択し、オリジナルジグソーパズルにしたい画像を準備する。（ステップＳ１）
【００１５】
選択された画像(図３）は、オリジナルジグソーパズルと画像比率が異なるので、多機能フォトエディター（図４）の切り抜き機能（図５）を利用して、同一比率になるように切り抜き作業を行う。（ステップｓ２）
【００１６】
オリジナルジグソーパズル用に整形された画像(図４）に対して、さらに画像処理を加えるか、もしくはこれ以上の画像処理は必要でないかを自分自身で判断する。切り抜き作業以外の画像処理が必要でない場合は（ステップｓ６）に進む。多機能フォトエディター（図６）を利用して、他の画像処理を行う場合は、（ステップｓ４）に進む。図６では、文字入れを参考画像として提示した。
【００１７】
それぞれオリジナルジグソーパズルにする画像加工が終了したら、画像を決定する。（ステップｓ５、ステップｓ６）画像を決定することにより、注文内容確認画面が出現する。（図７）
【００１８】
注文内容確認画面（図７）において、オリジナルジグソーパズルのスタイル（ふちなしパズル/ふちありパズル）、パズルの大きさ、ピース数、フレームの有り無しを選択し注文内容に間違いがないかを確認する。注文内容と画像の大きさが一致しない場合は、選択やり直しを自動で行うシステムになっている。注文内容を確定したら、ステップｓ８に進む。
【００１９】
ステップｓ８に進むことにより、オーダー内容確認画面（図８）が出現する。この画面に顧客ごとの注文番号が割り振られるので、注文番号を保存することにより、注文後の顧客と製作現場との作業をやり易くすることができる。画面上に、加工されたオーダーメイドジグソーパズルの完成画像が出現するので、完成イメージを顧客が把握でき、製作現場とのやりとりがスムーズになり、クレームが大幅に減ることになる。
【００２０】
注文画像保存の段階で、顧客が自動AR機能の付加を望めばAR設定をクリックすることにより、AR設定画面（図９）が出現する。 ここでは、既存のメッセージイラスト動画や、ユーチューブ等に登録している画像を選択することにより、自動でAR機能（拡張現実）を付加することが可能になる。
【００２１】
AR機能を自動で付加された動画は、オリジナルジグソーパズルが顧客の手元に届き、組み立てられた状態で、アプリケーションのスタート画面（図２）において、ARカメラを立ち上げた状態でオリジナルジグソーパズルにかざしたら、登録動画を再現することができる。その再現までの流れは次のようになる。まず、注文内容を確認し注文を行う段階（図８）にて確認できる、注文画像がAR再生の対象画像となる。AR機能を付加したい顧客は、図９において既存の再生動画の登録。もしくは、ユーチューブ内に掲載されている動画のURLを登録することにより、ARカメラ（02）を、注文対象画像によって製作されたオリジナルジグソーパズルにかざすことにより、携帯端末にユーチューブデータがストリーミングされ、動画が再現される。一連の流れを図１０に表した。
【００２２】
注文内容の確認。必要に応じてのAR機能用動画の登録等が終了すれば、選択された画像で予備注文を行う。（ステップｓ１１、ステップｓ１２）
【００２３】
本アプリケーションは、注文条件に合致した、注文サイトを呼び出し、顧客にストレスなく注文を完了させることができる。（ステップｓ１３）
【実施例】
【００２４】
本考案を実施するためには、利用者が本アプリケーションをダウンロードする必要がある。また、簡単にダウンロードができるようQRコード（登録商標）などで、アプリケーションの所在を明らかにしてストレスなくダウンロードできるよう環境を整える必要がある。
【００２５】
今回開発したアプリケーションは、外装を変えることにより観光地等での使用が可能になり、結果的にアプリケーションを使用する顧客を増やすことにつながる。
【産業上の利用可能性】
【００２６】
本考案は、オリジナルジグソーパズル画像を簡単に加工するためや、自動で注文者がAR機能を付加できるアプリケーションであるが、例えばオリジナルTシャツやオリジナルのマグカップなどの画像を簡単に加工したり、AR機能を自動で付加できたり、他のオリジナル商品への転用が可能である。
【符号の説明】
【００２７】
s1    パズルにする画像を選択する動作
ｓ２    画像を切り抜く動作
ｓ３    各種画像処理の動作
s4    各種画像処理の動作
ｓ５   画像を決定する動作
ｓ６   画像を決定する動作
ｓ７   注文内容を検証する
ｓ８   注文内容の確認と注文画像番号の保存
ｓ９   AR機能の付加
ｓ１０  動画の登録
ｓ１１  予備注文の動作
ｓ１２ 予備注文の動作
ｓ１３  注文内容に合致した注文サイトの呼び出し動作
01  ユーチューブ登録動画データ
02  アプリケーション内蔵ARカメラ
03  AR機能が付加されたオリジナルジグソーパズル
04  ARカメラによってユーチューブよりストリーミング  
【図１】
0003210290.tif 000003
【図２】
0003210290.tif 000004
【図３】
0003210290.tif 000005
【図４】
0003210290.tif 000006
【図５】
0003210290.tif 000007
【図６】
0003210290.tif 000008
【図７】
0003210290.tif 000009
【図８】
0003210290.tif 000010
【図９】
0003210290.tif 000011
【図１０】
0003210290.tif 000012
【手続補正書】
【提出日】平成28年10月12日(2016.10.12)
【手続補正１】
【補正対象書類名】実用新案登録請求の範囲
【補正対象項目名】全文
【補正方法】変更
【補正の内容】
【実用新案登録請求の範囲】
【請求項１】
対象画像データを専用アプリケーションソフトウエアプログラムで顧客自身が自由に加工でき、加工された画像を利用して製造された、ジグソーパズルの形状を有する、オリジナルジグソーパズル。
【請求項２】
対象画像に、顧客自身がＡＲ機能（拡張現実）を設定し、完成したオリジナルジグソーパズルや通常プリント（写真印刷物）に、内蔵されているＡＲカメラをかざすとメッセージや動画が再現される、専用アプリケーションソフトウエアプログラムを利用した、ジグソーパズルの形状を有するオリジナルジグソーパズルもしくは通常プリント（写真印刷物）。
【手続補正書】
【提出日】平成29年2月10日(2017.2.10)
【手続補正１】
【補正対象書類名】実用新案登録請求の範囲
【補正対象項目名】全文
【補正方法】変更
【補正の内容】
【実用新案登録請求の範囲】
【請求項１】
ユーザーが提供した画像があって、前記ユーザーが専用アプリケーションソフトウエアで設定した拡張現実情報と、関連付けられた画像が印刷されているジグソーパズルやプリント写真。